(57)【特許請求の範囲】
【請求項１】
障子が載置される上板部に雨水の通水孔を有し、上板部の下側に通水孔から入水した雨水を受ける排水受け室を備えるサッシ下枠を、建築物の躯体に構築された梁を垂直上方に投影した領域内に設置し、
該領域の室外側に形成される躯体のバルコニーに、高さ方向では梁と重なる深さ位置に底部を形成した側溝を、水平方向では該底部が梁と干渉しないサッシ下枠から離れた室外側位置に、隣接する各部屋に渡って共通して形成し、
該サッシ下枠の排水受け室と該側溝とを、排水受け室に対する接続端から該側溝に届く長さの通水管で連結したサッシ下枠、側溝及び躯体の梁の配置構造。
【発明の詳細な説明】
【０００１】
【発明の属する技術分野】
本発明は、建築物の室内と室外との間の躯体開口に取り付けるサッシ下枠と、側溝と、躯体の梁の配置構造に関する。
【０００２】
【従来の技術】
図５は、従来技術によるサッシ下枠１と、側溝２と、躯体の梁３の配置構造を示す一例である。このサッシ下枠１は、例えば図６で示すような矢示方向で引違い可能な障子Ｓ用のサッシ枠Ｍを構成する下枠で、室内の床Ｆと室外のバルコニーＢとの間の段差をなくしたバリアフリータイプのものである。このバリアフリータイプのサッシ下枠１には、その上板部１ａに、障子Ｓの図示せぬ戸車の移動を受ける複数のレール１ｂが、上端位置を同じ高さ位置にして形成されていて、車椅子でも楽に通過できるようになっている。レール１ｂの間には通水孔１ｃが穿設されていて、レール１ｂの間に雨水が溜まらないようにするために、サッシ下枠１の内部へ逃がせるようにしてある。即ち、この通水孔１ｃの下側には、雨水を受ける排水受け室１ｄが設けられていて、この排水受け室１ｄに流れ落ちてきた雨水は、サッシ下枠１の室外側の側壁に穿設した排水孔１ｅを通じて側溝２へ排水されるようにしてある。また、排水受け室１ｄを画成するサッシ下枠１の底板には、アンカー部材Ａの基端側を固定する取付部１ｆが設けられており、その反対側の先端はサッシ下枠１の真下にある梁３を構成するスターラップ筋３ａに溶着されていて、サッシ下枠１の取付強度を高めるようにしている。
【０００３】
側溝２は、バルコニーＢを構成するスラブＢｓに設けた所定の深さの溝として形成され、サッシ下枠１の排水受け室１ｄで受けた雨水を排水孔１ｅからそのまま受けることができるように、サッシ下枠１の直ぐ隣に設けられている。側溝２を画成するスラブＢｓの上には防水アスファルト２ａが施され、さらにその上にはモルタル２ｂが所定厚さで打設されている。側溝２の底部には側溝２に溜まる雨水を建築物の外部へ逃がすための排水管Ｐが連結されており、側溝２の上部には複数の通水スリットが形成された、例えばステンレス等の金属製やプラスチック製のグレージングＧが取り付けてある。なお、断面コ字状のＧａは側溝２の長手方向（紙面の垂直方向）に断続的に複数設けてあるグレージングＧの支持部材である。この支持部材Ｇａの図中右側にある２ｃは防水用のシール材で、側溝２内に溜まる雨水をサッシ下枠１の下側を通じて室内の床下Ｆｕの空間へ浸み出させないようにする重要な防水機能を果たしている。
【０００４】
【発明が解決しようとする課題】
ところで、このようにサッシ下枠１の直ぐ脇に側溝２を設ける配置構造については、梁３との関係で次のような不具合を生じることがある。即ち、従来から室内と室外の間の躯体開口にサッシ枠を介在させる建築物については、図５で示すように、構造強度の高い梁３の上方に躯体の壁が位置する関係でサッシ枠Ｍも梁３の上方に取り付けてあるのが一般的である。ところが、上述のような下枠構造をもつサッシ下枠１では、排水孔１ｅの直ぐ隣に側溝２を設ける必要があるため、側溝２の深さを十分に取り難いという不具合が生じる。つまり、サッシ下枠１のすぐ脇に側溝２を設けると、梁３が邪魔になって側溝２の深さを十分に取れなくなってしまうからである。この場合には、図５で示すように側溝２の深さを十分に取れるまで梁３を切削することも考えられるが、梁３を切削するとその構造強度を低下させることになってしまう。すると必然的に側溝２は浅底にせざるを得ないが、そうすると受水容量が少なくなるためすぐに雨水が側溝２に溜まってしまう。そして、さらに側溝２内の雨水の水嵩が増すと、こんどは雨水がサッシ下枠１の排水受け室１ｄへと逆流して通水孔１ｃから噴き上げて、サッシ下枠１による室内に対する水密性が阻害される虞れがある。
【０００５】
このように、サッシ下枠１の直ぐ脇に側溝２を設ける配置構造については、側溝２の深さを十分に取り難いという不具合だけでなく、サッシ下枠１の下側に施すシール材２ｃについても問題がある。上述のようにこのシール材２ｃは室内の床下Ｆｕに対する重要な防水機能を果たすものであるが、このシール材２ｃを所定の厚みで均質に且つ隙間のないように、サッシ下枠１の長手方向に沿って敷設するのは相当の熟練者であってもなかなか難しく、手間のかかる作業でもある。
【０００６】
さらに、サッシ下枠１の直ぐ脇に側溝２を配置する従来の配置構造で、側溝２に溜まる雨水を排水するためには、例えば図７（ａ）で示すように、各部屋Ｒの側溝２に排水管Ｐを設ける必要がある。そして、この排水管Ｐに続く排水経路としては、図７（ｂ）で示すように、バルコニーＢを構成するスラブＢｓの裏面に水平方向で架設したパイプＰｈをさらに、上下階に渡って垂直方向で架設したパイプＰｖに連結して建築物の外部へ排水する、といった複雑な管路が必要である。そのため、複雑な管路の施工に手間がかかる上に、張り巡らされた管路によってバルコニーＢの美観を損ねることにもなってしまう。
【０００７】
以上のような従来技術を背景になされたのが本発明であって、その目的は、梁の構造強度を阻害することなく側溝の深さを十分に取ることができるようなサッシ下枠と、側溝と、躯体の梁との配置構造を提供することにある。また本発明は、側溝に溜まった雨水が階下の天井裏へ浸み出ることがないようなサッシ下枠と、側溝と、躯体の梁配置構造を提供する。さらに本発明は、排水経路（管路）の施工を大幅に簡略化可能で、バルコニーの美観を損なうことのないサッシ下枠と、側溝と、躯体の梁の配置構造を提供する。
【０００８】
【課題を解決するための手段】
こうした目的を達成するために本発明は、障子が載置される上板部に雨水の通水孔を有し、上板部の下側に通水孔から入水した雨水を受ける排水受け室を備えるサッシ下枠を、建築物の躯体に構築された梁を垂直上方に投影した領域内に設置し、該領域の室外側に形成される躯体のバルコニーに、高さ方向では梁と重なる深さ位置に底部を形成した側溝を、水平方向では該底部が梁と干渉しないサッシ下枠から離れた室外側位置に、隣接する各部屋に渡って共通して形成し、該サッシ下枠の排水受け室と該側溝とを、排水受け室に対する接続端から該側溝に届く長さの通水管で連結したサッシ下枠、側溝及び躯体の梁の配置構造を提供する。
【０００９】
この配置構造によれば、梁を垂直上方に投影した領域の室外側に形成される躯体のバルコニーに、高さ方向では梁と重なる深さ位置に底部を形成した側溝を、水平方向では該底部が梁と干渉しないサッシ下枠から離れた室外側位置に形成するため、引違いタイプや片引きタイプのサッシ下枠の下方に構築してある梁に制約されずに十分な深さで側溝を形成することができる。そのため、側溝の受水容量を大きくすることが可能で、雨水が側溝からサッシ下枠の排水受け室へと逆流して通水孔から噴き上げてしまうようなことを防ぐことができる。そしてこの場合、サッシ下枠の排水受け室に溜まる雨水は、排水受け室に対する接続端から該投影領域の室外側にある側溝に届く長さの通水管によって確実に側溝へ排出することができる。また、サッシ下枠と側溝が隣接しない離れた位置にあるため、従来のように敷設作業が困難なシール材でサッシ下枠の下側を防水する必要がなく、少なくとも通水管の管長に渡ってモルタルを打設できるので、側溝に溜まった雨水が階下の天井裏に浸み出ることもない。そして、側溝が、サッシ下枠と隣接しない離れた位置にあり、隣接する各部屋に渡って共通して形成されるため、排水経路を簡略化でき、バルコニーの美観を損ねることもない。
【００１０】
【発明の実施の形態】
以下、本発明の実施の形態について、図面を参照しつつ説明する。
【００１１】
本実施形態の構成；まず、本発明の一実施形態によるサッシ下枠１０と、側溝１１と、梁１２の配置構造の構成を説明する。
【００１２】
図１で示すように、本例のサッシ下枠１０も、引違い障子Ｓ用のサッシ枠Ｍを構成する下枠で（図６参照）、室内の床Ｆと室外のバルコニーＢとの間の段差をなくしたバリアフリータイプのものである。このサッシ下枠１０は、躯体の壁が構造強度の高い梁１２の上方に位置する関係で梁１２の上方に取り付けられている。また、サッシ下枠１０には、図示せぬアンカー部材の基端側が取り付けられていて、その先端側は梁１２をなすコンクリートに基端側が埋め込まれた他のアンカー部材（図示略）の先端側に溶接されていて、サッシ下枠１０の取付強度を高めてある。
【００１３】
ここでサッシ下枠１０の構成について説明する。図２、図３で示すように、サッシ下枠１０には、その上板部１０ａに室内側の障子Ｓｉと室外側の障子Ｓｏの戸車の移動を受けるレール１０ｂが設けられている。なお、最も室外側にあるレール１０ｂは、網戸Ｓａの戸車（図示略）の移動を受けるレールである。
【００１４】
そして、障子Ｓｉと障子Ｓｏとを支えるレール１０ｂ，１０ｂの間には複数の長楕円形の通水孔１４ａが穿設された断面下向きコ字状のグレージング１４が着脱可能として取り付けられている。グレージング１４は、その脚部の下端を、サッシ下枠１０に形成された断面Ｌ字状の係合溝１０ｄに差し込ませるようにしてサッシ下枠１０に取り付けられている。また、このグレージング１４はおよそ片側の障子Ｓと同程度の長さとなっていて、これを取り外す際には、片側の障子Ｓを開いてグレージング１４を露出させた状態として持ち上げるようにすればよい。
【００１５】
グレージング１４に形成した通水孔１４ａの室内側の孔縁には、断面コ字状の取付凹部１４ｂを有する立壁部１４ｃが突設されている。そして、該取付凹部１４ｂには、障子Ｓｏの下枠の室内側側面に対して室内側から押接可能な幅サイズをもつ止水ゴム１４ｄが着脱可能として圧入保持されている。従って、障子Ｓｏの下枠の室内側は、止水ゴム１４ｄが室外側の障子Ｓｏの下枠に対して室内側から押接していることで水密となっている。
【００１６】
グレージング１４の下側には、通水孔１０ｆが穿設された隔壁１０ｇを境に上下で大きいサイズの上部受け室１０ｈとその下側の小さなサイズの下部受け室１０ｉとが排水受け室としてサッシ下枠１０の長手方向に渡って設けてある。このように、上部受け室１０ｈと下部受け室１０ｉとの間に隔壁１０ｇを介在させることで、上部受け室１０ｈに入り込んだ落ち葉などの大きめのゴミが下部受け室１０ｉに入り込んでしまうのを隔壁１０ｇで一旦止めておくことができるようになっている。下部受け室１０ｉの側壁には、アルミ製の通水管１５が溶接されており、その先端側は同じくアルミ製の延長管１５ａへ差し込ませてある。本例では通水管１５と延長管１５ａとで、下部受け室１０ｉに対する接続端から側溝１１に届く長さをもつ“通水管”をなしている。この通水管１５と延長管１５ａとは管軸方向でスライド可能となっていて、施工現場でその管長を適宜変更できるようになっており、全体の管長を決めた後はシール材で水密とされる。通水管１５の接続端と、隔壁１０ｇの通水孔１０ｆの穿設位置とは、サッシ下枠１０の長手方向で互いに離れた位置関係としてある。従って、万が一、通水管１５から下部受け室１０ｉへ雨水が勢い良く逆流してきた場合でも、その流勢を隔壁１０ｇで受け止めて障子Ｓｏの下部まで直接雨水が噴き上がらないようにしてある。この点、図２では、通水管１５の接続端の上に隔壁１０ｇの通水孔１０ｆが位置するように表しているが、実際には図３で示すようにサッシ下枠１０の長手方向で互いに離れた位置関係となっている。
【００１７】
側溝１１は、梁１２を垂直上方へ投影した領域の外側までサッシ下枠１０から離間させた状態で、バルコニーＢを構成するスラブＢｓに設けた所定の深さの溝として設けてある。側溝１１を画成するスラブＢｓの上には防水アスファルト１１ａが施され、さらにその上にはモルタル１１ｂが所定厚さで打設されている。側溝１１の上部には、複数の通水スリットが形成された、例えばステンレス等の金属製又はプラスチック製のグレージングＧが設置してあり、このグレージングＧは側溝１１の溝縁を一段低くした段面部１１ｃによって支持されている。
【００１８】
実施形態の効果；次に、以上に述べた他、上記の構成とした本例の配置構造による効果を説明する。
【００１９】
本例のサッシ下枠１０と、側溝１１と、梁１２との配置構造によれば、側溝１１が梁１２を垂直上方へ投影した領域の外側までサッシ下枠１０から離間させて形成してある。従って、図５で示す従来例のように、梁１２を切削してその構造強度を阻害することなく、受水容量が十分な深さの側溝１１を形成することが可能である。
【００２０】
そして、この場合、サッシ下枠１０の上部受け室１０ｈから下部受け室１０ｉへ流れる雨水は、下部受け室１０ｉに対する接続端からその反対側の先端部が該投影領域の外側にある側溝１１に届く長さをもつ通水管１５を通じて確実に排水できるので、上部受け室１０ｈと下部受け室１０ｉに雨水が溜まることはない。
【００２１】
また、サッシ下枠１０と側溝１１が隣接していないため、図５の従来例のように、敷設作業が困難なシール材２ｃでサッシ下枠１０の下側を防水する必要がなく、少なくとも側溝１１とサッシ下枠１０に渡ってモルタル１１ｂを打設してあるので、側溝１１に溜まった雨水がモルタル１１ｂを浸みて床下Ｆｕに漏れ出ることもない。
【００２２】
加えて、サッシ下枠１０と側溝１１が隣接していないため、図４で示すように、躯体の柱Ｔ（外壁の場合も同様）が邪魔にならずに、側溝１１を隣接する部屋ＲのバルコニーＢに渡って共通に形成することができる。従って、この側溝１１は従来の配置構造で水平方向に架設したパイプＰｈ（図７参照）と同じ排水経路として機能するため、わざわざパイプＰｈを架設する必要がなく、側溝１１を垂直方向に架設したパイプＰｖに連結するだけでよい。従って、排水経路を簡略化することができ、バルコニーＢの外見が悪くなることもない。
【００２３】
さらに、側溝１１がサッシ下枠１０から離間しているため、側溝１１の溝縁にグレージングＧ支持用の段面部１１ｃを形成することが可能である。従って、図５の従来例のように、グレージングＧ支持用の支持部材Ｇａをわざわざ用いる必要はない。
【００２４】
また、サッシ下枠１０のグレージング１４は、上に持ち上げればサッシ下枠１０の係合溝１０ｄから簡単に取り外せる。従って、上部受け室１０ｈや下部受け室１０ｉに土砂や落ち葉等のゴミが溜まった時には、グレージング１４を外して簡単に土砂やゴミを作業性よく取り除くことができる。
【００２５】
グレージング１４には、立壁部１４ｃの該取付凹部１４ｂに、室外側の障子Ｓｏの下枠の室内側側面に対して室内側から押接可能な幅サイズをもつ止水ゴム１４ｄを取り付けてある。従って、障子Ｓｏの下枠の周囲に雨水が入り込んでも、止水ゴム１４ｄによる障子Ｓｏの下枠に対する押接によって、室内への雨水の入り込みを防ぐことができる。
【００２６】
この止水ゴム１４ｄは、取付凹部１４ｂに着脱自在に圧入により保持されているので、止水ゴム１４ｄが劣化した場合でも引っ張れば簡単に取り外すことができ、新しい止水ゴムを取り付ける際にも押し込むだけで簡単に装着することができる。そして、この交換作業を行う際には、サッシ下枠１０のグレージング１４自体がサッシ下枠１０から取り外せるので、作業を楽に行うことができる。
【００２７】
実施形態の変形例；上記実施形態で示した配置構造では、引違いタイプの障子Ｓのサッシ下枠１０を例示したが、勿論片引きタイプの障子のサッシ下枠を適用することも可能である。また、上記実施形態で示した配置構造では、サッシ下枠１０としてバリアフリータイプのものを例示したが、ベランダや室内の床が一段低くなるようなサッシ下枠に本発明の配置構造を適用することもできる。
【００２８】
上記実施形態による配置構造では、“通水管”としての通水管１５及び延長管１５ａとしてアルミ製のものを例示したが、他のステンレス等の金属材質のものを利用したり、塩化ビニール等のプラスチック製のものを使ってもよい。
【００２９】
また、上記実施形態で示すサッシ下枠１０のグレージング１４と側溝１１のグレージングＧについては、裏面に網材を取り付けるようにして、排水経路を詰まらせる原因となるような落ち葉や大きなゴミをグレージング１４，Ｇの下方に落とさないようにすることもできる。これと同様に、サッシ下枠１０の上部受け室１０ｈと下部受け室１０ｉとを仕切る隔壁１０ｇの通水孔１０ｆにも網材を取り付けるようにしてもよい。
【００３０】
【発明の効果】
本発明によれば、梁を垂直上方へ投影した領域の室外側に形成される躯体のバルコニーに、高さ方向では梁と重なる深さ位置に底部を形成した側溝を、水平方向では該底部が梁と干渉しないサッシ下枠から離れた室外側位置に形成するため、梁の構造強度を阻害することなく、受水容量が十分な深さの側溝を形成することが可能である。この場合、側溝とサッシ下枠の排水受け室とを、排水受け室に対する接続端から側溝に届く長さをもつ通水管で連結してあるので、排水受け室に流れ込んだ雨水を確実に側溝へ排水することができる。
【００３１】
また、サッシ下枠と側溝が隣接していないため、従来のように敷設作業が困難なシール材でサッシ下枠の下側を防水する必要がなく、少なくとも通水管の管長に渡ってモルタルを打設できるので、側溝に溜まった雨水が階下の天井裏に浸み出ることもない。
【００３２】
さらに、サッシ下枠と側溝が隣接していないため、躯体の柱や外壁が邪魔にならず、側溝を隣接する部屋に渡って共通に形成することができる。そのため、従来の配置構造のように、バルコニーをなすスラブに排水用の管路を張り巡らせる必要が無く排水経路を大幅に簡略化でき、しかもバルコニーの美観もよくすることができる。
【図面の簡単な説明】
【図１】本発明の一実施形態によるサッシ下枠と、側溝と、梁との配置構造を示す説明図。
【図２】図１の配置構造を適用した図６のＸ−Ｘ線拡大断面図。
【図３】図１の配置構造を適用した図６のＹ−Ｙ線拡大断面図。
【図４】図１の配置構造を適用した建築物の排水経路を示す図で、分図（ａ）はその平面図、分図（ｂ）は分図（ａ）のＺ１−Ｚ１線部分省略断面図。
【図５】サッシ下枠と、側溝と、梁との配置構造の一従来例を示す説明図。
【図６】引違い戸用の障子とサッシ枠の外観正面図。
【図７】図５の配置構造を適用した建築物の排水経路を示す図で、分図（ａ）はその平面図、分図（ｂ）は分図（ａ）のＺ２−Ｚ２線部分省略断面図。
【符号の説明】
１０    サッシ下枠
10a   上板部
10f   通水孔
10h   上部受け室（排水受け室）
10i   下部受け室（排水受け室）
１１    側溝
１２    梁
１４    グレージング（サッシ下枠取付用）
14a   通水孔
１５    通水管
15a   延長管（通水管）
Ｓｉ，Ｓｏ  障子
【図１】
0003640062.tif 000002
【図２】
0003640062.tif 000003
【図３】
0003640062.tif 000004
【図４】
0003640062.tif 000005
【図５】
0003640062.tif 000006
【図６】
0003640062.tif 000007
【図７】
0003640062.tif 000008